(57)【要約】【課題】給油回数が多くなると、オイルの費用がかかるという問題があった。また、特に、中切等の刈ならし時には、埃が発生し、作業環境が悪くなるとともに、エンジン等に悪影響を与えるという問題があった。本発明は、これらの問題を解決することができる装置を提供することを課題としている。【解決手段】茶畝を挟んだ２本の無限軌道式の走行装置と、２本の走行装置をつないだ門型枠と、茶葉摘採用の刈刃と、刈刃の後部に連設した受板と、刈刃または受板のいずれか一方または両方の上に吹き付けるための送風手段と、送風手段の途中に設けた給水手段とより構成し、刈刃または受板のいずれか一方または両方の面に水を散布しながら茶葉を摘採する。【選択図】        図１
2004357510.tif 000002
【特許請求の範囲】
【請求項１】
茶畝を挟んだ２本の無限軌道式の走行装置と、２本の走行装置をつないだ門型枠と、茶葉摘採用の刈刃と、刈刃の後部に連設した受板と、刈刃または受板のいずれか一方または両方の上に吹き付けるための送風手段と、送風手段の途中に設けた給水手段とより構成し、刈刃または受板のいずれか一方または両方の面に水を散布しながら茶葉を摘採することを特徴とする乗用型茶葉摘採機。
【請求項２】
給水手段として、給水タンクを門型枠に設置し、給水ホースによって給水タンクと送風手段を接続し、給水ホースへの給水量を調整するコックを設けることを特徴とする請求項１記載の乗用型茶葉摘採機。
【発明の詳細な説明】
【０００１】
【産業上の利用分野】
この発明は、茶畝に沿って走行しながら茶葉を摘採する乗用型茶葉摘採機に関するものである。
【０００２】
【従来の技術】
乗用型茶葉摘採機の刈刃には、バリカン刃と回転刃がある。バリカン刃は特許第２９５７５５３号等に記載されているように、上バリカン刃と下バリカン刃が互いに逆方向に往復運動して、茶葉を切断する。これらの刈刃の摩耗を少なくして、刈刃の切れを良くするためには、給油を行なうことが必要であり、摩耗防止オイルを直接給油するか、スプレーオイルを吹き付けるか、その都度行なっていた。
【０００３】
【発明が解決しようとする課題】
従来のように、作業者が給油を行なうと、万一、乗用型茶葉摘採機が動いたときに、危険であり、また、刈刃に触れて、けがをする危険もあった。更に、運転中には給油が出来ず、乗用型茶葉摘採機より降りて給油を行なわなければならないため面倒であった。また、刈刃を作動中に給油することが効果的であるが、刈刃が作動している為、危険が増した。これらの理由より、給油回数が自然と少なくなってしまい、刈刃のメンテナンスが十分にできず、摩耗が早くなり、切れなくなるという問題があった。
【０００４】
給油回数が多くなると、オイルの費用がかかるという問題があった。また、特に、中切等の刈ならし時には、埃が発生し、作業環境が悪くなるとともに、エンジン等に悪影響を与えるという問題があった。本発明は、これらの問題を解決することができる装置を提供することを課題としている。
【０００５】
【課題を解決するための手段】
本発明の第１手段は、茶畝を挟んだ２本の無限軌道式の走行装置と、２本の走行装置をつないだ門型枠と、茶葉摘採用の刈刃と、刈刃の後部に連設した受板と、刈刃または受板のいずれか一方または両方の上に吹き付けるための送風手段と、送風手段の途中に設けた給水手段とより構成し、刈刃または受板のいずれか一方または両方の面に水を散布しながら茶葉を摘採する。第２手段は、第１手段の給水手段として、給水タンクを門型枠に設置し、給水ホースによって給水タンクと送風手段を接続し、給水ホースへの給水量を調整するコックを設ける。
【０００６】
【発明の実施の形態】
図面を参照して、実施例を説明する。１、２は無限軌道式の走行装置であり、茶畝３を挟んでその両側を走行する。左右の走行装置１、２は門型枠４によりつながっている。機体後部には、刈刃１５を取り付ける。刈刃１５は茶袋保持板１４に支持棒２１を取り付け、支持棒２１に取り付けたブラケット１７を介して保持される。この刈刃１５は、エンジン１６によって駆動する。茶袋保持板１４は上下調節可能となっているので、茶袋保持板１４を上下させ、刈刃１５を摘採したい高さにあわせる。刈刃１５の後部には受板２３が連設されており、受板２３は刈刃１５で刈り取った茶葉を受け、後方へ茶葉を落とす。門型枠４の上には、送風ファン９が設けてあり、フレキシブルホース１３を介して、送風ホース１９と接続する。送風ホース１９の先端には、吹出ノズル１８が設けてある。吹出ノズル１８も、支持腕２０により支持棒２１に固定する。
【０００７】
３１は水タンクであり、中に水を入れて、門型枠４の上に設置されている。この水タンク３１には給水量調整コック３３を介して給水ホース３２を設けてあり、給水ホース３２を送風ホース１９内に差し込む。３４は水タンク３１に設けた空気抜きホースであり、水タンク３１内の空気を抜いている。
【０００８】
本実施例の動きを説明する。作業者７は運転席６で、エンジン１６を起動させて刈刃１５を動かし、給水量調整コック３３を開放し、送風ファン９を起動させて、吹出ノズル１８から刈刃１５の上へ空気と水を吹き付けながら、走行装置１、２によってゆっくりと機体を前進させる。空気と水は刈刃１５上へ吹き付けるともに、受板２３上へも吹き付けられる。吹出ノズル１８の角度により、刈刃１５のみ、受板２３のみ、刈刃１５と受板２３の両方へ吹き付けることができる。
吹出ノズル１８から吹き出す強風によって、刈り取られた茶葉や枝は左右へ吹き飛ばされ、吹出ノズル１８から吹き出す霧状の水によって、刈刃１５への茶渋等の付着を防ぎ、刈刃１５の磨耗を防ぎ、摘採時に発生する埃を抑える。本実施例では、２０リットル入りの水タンク３１を２ヶ用意し、ほぼ満タンにして上記摘採を行うと、約３０分で水タンク３１の水がなくなる程度の水の流量が最適であった。
【０００９】
本実施例では、水タンク３１の中に入れて吹き出すものを水としたが、水以外の液体でも同様の効果があり、人体に影響がないものであれば、よい。本実施例の図面には、刈刃１１および送風管１０が併設されているが、これらが併設されていない乗用型茶葉摘採機でも同様である。併設されている場合、フレキシブルホース１３の接続部２２を送風ホース１９からはずし、送風管１０に接続して、刈刃１１を使用する。必要であれば、給水ホース３２を送風管１０に差し込んでもよい。
【００１０】
【発明の効果】
運転席より操作ができ、安全で、埃、渋等も防ぐことができる。摩耗防止に水を使用すると、ランニングコストが安くなり、万一のときも、人体に安全である。また、簡単な構造で、水の自然落下と風圧を利用して、霧状にして刈刃または受板のいずれか一方または両方の上に吹き付けるため、製造コストが安価となる。
【図面の簡単な説明】
【図１】本実施例の正面図。
【図２】本実施例の側面図。
【図３】本実施例の後正面図。
【図４】本実施例の吹出ノズルの詳細図。
【符号の説明】
１  走行装置
２  走行装置
３  茶畝
４  門型枠
５  エンジン
６  座席
７  作業者
８  ハンドル
９  送風ファン
１０  送風管
１１  刈刃
１３  フレキシブルホース
１４  茶袋保持板
１５  刈刃
１６  エンジン
１７  ブラケット
１８  吹出ノズル
１９  送風ホース
２０  支持腕
２１  支持棒
２２  接続部
２３  受板
３１  水タンク
３２  給水ホース
３３  給水量調整コック
３４  空気抜きホース
【図１】
2004357510.tif 000003
【図２】
2004357510.tif 000004
【図３】
2004357510.tif 000005
【図４】
2004357510.tif 000006